(57)【要約】【課題】  起動停止特性、及び回転ムラ悪化を防止することが出来るモータ制御方法を備えた画像形成装置を提供する。【解決手段】  像担持用の部材、又は転写材の搬送を行う部材を駆動するモータと、モータに対して速度制御および位置制御を行うモータ制御手段とを備える画像形成装置において、前記モータ制御手段は、モータを起動または停止する場合に、モータを所定の加速カーブまたは減速カーブに従って加速または減速するように制御するとともに、加速または減速時と定常回転時とで、モータの速度制御または位置制御を行うモータ制御ループのゲインを変化させることを特徴とする。【選択図】        図１
2006317616.tif 000002
【特許請求の範囲】
【請求項１】
像担持用の部材、又は転写材の搬送を行う部材を駆動するモータと、モータに対して速度制御および位置制御を行うモータ制御手段とを備える画像形成装置において、前記モータ制御手段は、モータを起動または停止する場合に、モータを所定の加速カーブまたは減速カーブに従って加速または減速するように制御するとともに、加速または減速時と定常回転時とで、モータの速度制御または位置制御を行うモータ制御ループのゲインを変化させることを特徴とする画像形成装置。
【請求項２】
像担持用の複数の部材、又は転写材の搬送を行う部材を駆動するモータと、モータに対して速度制御および位置制御を行うモータ制御手段と、モータにより駆動される被駆動部の負荷トルクを検知又は推定するモータ負荷判別手段を備える画像形成装置において、前記モータ制御手段は、モータ負荷判別手段の判別結果に応じて、モータの速度制御または位置制御を行うモータ制御ループのゲインを変化させることを特徴とする画像形成装置。
【請求項３】
前記モータ負荷判別手段は、モータ電流またはモータ相駆動用ＰＷＭ信号のＤｕｔｙを検知して判別することを特徴とする、請求項２に記載の画像形成装置。
【請求項４】
前記モータ負荷判別手段は、当該モータの動作時間または印字枚数をカウントして、被駆動部の機械的負荷の増加分を推定して判別することを特徴とする、請求項２に記載の画像形成装置。
【請求項５】
前記モータ負荷判別手段は、環境温度を検知して、被駆動部の機械的負荷の増減分を推定して判別することを特徴とする、請求項２に記載の画像形成装置。
【請求項６】
像担持用の複数の部材、又は転写材の搬送を行う部材を駆動するモータと、モータに対して速度制御および位置制御を行うモータ制御手段と、モータの回転出力を検知又は推定するモータ出力判別手段を備える画像形成装置において、前記モータ制御手段は、モータ出力判別手段の判別結果に応じて、モータの速度制御または位置制御を行うモータ制御ループのゲインを変化させることを特徴とする画像形成装置。
【請求項７】
前記モータ出力判別手段は、モータ温度を検知してモータ出力増減分を判別することを特徴とする、請求項６に記載の画像形成装置。
【請求項８】
前記モータ出力判別手段は、当該モータの動作時間または画像形成装置の印字枚数をカウントして、モータ自身の機械的負荷の変動による出力増減分を推定して判別することを特徴とする、請求項６に記載の画像形成装置。
【請求項９】
前記モータ制御手段は、モータ制御ループのゲインを、加速または減速時は、定常回転時より大きくすることを特徴とする、請求項１〜８のいずれかに記載の画像形成装置。
【発明の詳細な説明】
【技術分野】
【０００１】
本発明は画像形成装置に関し、例えば電子写真方式の画像形成装置および制御装置に関するものである。
【背景技術】
【０００２】
図１２は、４色すなわち、イエロー（以下Ｙと記述する）、マゼンタ（以下Ｍと記述する）、シアン（以下Ｃと記述する）、ブラック（以下Ｋと記述する）の画像形成手段を備えたカラー画像形成装置を示すもので、同図において、１は静電潜像を形成する感光ドラム（ａ、ｂ、ｃ、ｄは各々Ｙ、Ｍ、Ｃ、Ｋ用を示す）で、６ａ〜ｄは各感光ドラムを駆動するモータである。
【０００３】
２は画像信号に応じて露光を行い感光ドラム１上に静電潜像を形成するレーザスキャナ、３は用紙を各色の画像形成部に順次搬送する、無端状の搬送ベルト、４は、モータとギア等でなる駆動手段と接続され、搬送ベルト３を駆動する駆動ローラ、６ｅは駆動ローラ４を駆動するモータ、５は用紙に転写されたトナーを溶融、固着する定着器であり、６ｆは定着器を駆動するモータである。
【０００４】
ＰＣからプリントすべきデータがプリンタに送られ、プリンタエンジンの方式に応じた画像形成が終了しプリンタ可能状態となると、用紙カセットから用紙が供給され搬送ベルト３に到達し、搬送ベルト３により用紙が各色の画像形成部に順次搬送される。搬送ベルト３による用紙搬送とタイミングを合わせて、各色の画像信号が各レーザスキャナ２に送られ、感光ドラム３上に静電潜像が形成され、図示しない現像器により、静電潜像がトナーで現像され、図示しない転写部で用紙上に転写される。同図においては、Ｙ、Ｍ、Ｃ、Ｋの順に順次画像形成される。その後用紙は搬送ベルトから分離され、定着器で熱によってトナー像が用紙上に定着され、外部へ排出される。
【０００５】
また、Ｙ、Ｍ、Ｃの感光ドラムと搬送ベルトは、図示しない、アクチュエータにより当接および離間状態を切り替えることができる。黒のみの印刷を行うモノカラーモードでは、Ｙ、Ｍ、Ｃの感光ドラムと搬送ベルトを離間し、Ｙ、Ｍ、Ｃの感光ドラムおよび各色用の現像器の駆動を行わず、Ｙ、Ｍ、Ｃの感光ドラムおよび各色用の現像器の劣化、消耗を防止する。
【０００６】
ところで、以上延べたように構成される多色画像形成装置では、各色の画像形成位置の不一致が、色ずれとなって画像に現れ、画質の劣化をまねいてしまう。色ずれには、各色の現像装置の組み付け時の位置ずれなどにより発生する定常的な色ずれ（以下、ＤＣ色ずれと記述する）と、回転体の軸のフレなどにより発生する周期的な色ずれ（以下、ＡＣ色ずれと記述する）に大別できる。
【０００７】
このうち、ＡＣ色ずれ対策として、各色の回転体の回転位相を個別に制御し、各色の色ずれ発生周期の位相を揃え、色ずれを小さくする手法が知られている。
【０００８】
例えば特許文献１では、ソフトウェアサーボにより制御ループのゲインを設定し、モータを速度制御および位置制御するモータ制御手段を備え、加減速カーブに従ったモータ制御や各色の感光ドラムの回転位相を個別に制御する画像形成装置を提供している。
【０００９】
また、搬送ベルト等の感光ドラムと接している部材の駆動モータは、速度差による傷等の発生を低減する為、感光ドラム駆動モータの加減速カーブに合わせて速度制御を行い、モータの起動停止を行っている。また定着器を駆動するモータ等その他のモータにおいても起動時の突入電流を防止する為に所定の加減速カーブに合わせて速度制御を行い、モータの起動停止を行っている。
【特許文献１】特開２００３−２１９４３号公報
【発明の開示】
【発明が解決しようとする課題】
【００１０】
しかしながら、上記従来例では以下のような問題が有った。
【００１１】
一般的に画像形成装置では、厚紙等に対して印字する厚紙印字モードの場合、トナーの定着性を確保するために、用紙の搬送速度を低速にして、定着器で十分な熱量を用紙に与えるようにしている。画像形成部と定着器間に紙サイズ以上の間隔が無い場合は、必然的に搬送ベルトの搬送速度および感光ドラムの回転数も低速に切り替える必要がある。したがって、モータ制御部は厚紙印字モードでは、各モータを低速回転させる。このとき、回転数に応じて、制御ループのゲインを最適な値に変更することが一般的に行われている。モータ回転数が低くなれば、通常、制御ループのゲインを下げて、制御の安定性を確保する。
【００１２】
以上のように厚紙印字モード等では、制御ループのゲインを下げていた。そのため、モータを起動あるいは停止させる際等負荷が大きくなる場合では、ゲインが足りずに所望の時間で処理が完了しなかったり、起動自体が失敗したりする場合が有った。
【００１３】
さらに、モータ被駆動部の経年劣化や、モータ被駆動部の摺動用に塗布したグリスの低温環境における固着等により負荷トルクが増大した際に、負荷変動に対してゲインが足りない為、起動停止特性や定常回転時における回転ムラが悪化するということが有った。
【００１４】
また、モータ自体が経年劣化したり、昇温して出力特性が低下した場合において、負荷変動に対してゲインが足りない為、起動停止特性や定常回転時における回転ムラが悪化するということが有った。
【００１５】
本発明は、以上の点に鑑み、起動停止特性、及び回転ムラ悪化を防止することが出来るモータ制御方法を備えた画像形成装置を提供することを目的とする。
【課題を解決するための手段】
【００１６】
上記目的を達成する為に本出願に係る第１の発明は、像担持用の複数の部材、又は転写材の搬送を行う部材を駆動するモータと、モータに対して速度制御および位置制御を行うモータ制御手段とを備える画像形成装置において、前記モータ制御手段は、モータを起動または停止する場合に、モータを所定の加速カーブまたは減速カーブに従って加速または減速するように制御するとともに、起動または停止時と定常回転時とで、モータの速度制御または位置制御を行うモータ制御ループのゲインを変化させることを特徴とする。
【００１７】
本出願に係る第２の発明は、像担持用の複数の部材、又は転写材の搬送を行う部材を駆動するモータと、モータに対して速度制御および位置制御を行うモータ制御手段と、モータにより駆動される被駆動部の負荷トルクを検知又は推定するモータ負荷判別手段を備える画像形成装置において、前記モータ制御手段は、モータ負荷判別手段の判別結果に応じて、モータの速度制御または位置制御を行うモータ制御ループのゲインを変化させることを特徴とする。
【００１８】
本出願に係る第３の発明は、請求項２に記載の画像形成装置において、前記モータ負荷判別手段は、モータ電流またはモータ相駆動用ＰＷＭ信号のＤｕｔｙを検知して判別することを特徴とする。
【００１９】
本出願に係る第４の発明は、請求項２に記載の画像形成装置において、前記モータ負荷判別手段は、当該モータの動作時間または印字枚数をカウントして、被駆動部の機械的負荷の増加分を推定して判別することを特徴とする。
【００２０】
本出願に係る第５の発明は、請求項２に記載の画像形成装置において、前記モータ負荷判別手段は、環境温度を検知して、被駆動部の機械的負荷の増減分を推定して判別することを特徴とする。
【００２１】
本出願に係る第６の発明は、像担持用の複数の部材、又は転写材の搬送を行う部材を駆動するモータと、モータに対して速度制御および位置制御を行うモータ制御手段と、モータの回転出力を検知又は推定するモータ出力判別手段を備える画像形成装置において、前記モータ制御手段は、モータ出力判別手段の判別結果に応じて、モータの速度制御または位置制御を行うモータ制御ループのゲインを変化させることを特徴とする。
【００２２】
本出願に係る第７の発明は、請求項６に記載の画像形成装置において、前記モータ出力判別手段は、モータ温度を検知してモータ出力増減分を判別することを特徴とする。
【００２３】
本出願に係る第８の発明は、請求項６に記載の画像形成装置において、前記モータ出力判別手段は、当該モータの動作時間または画像形成装置の印字枚数をカウントして、モータ自身の機械的負荷の変動による出力増減分を推定して判別することを特徴とする。
【００２４】
本出願に係る第９の発明は、請求項１〜８いずれかに記載の画像形成装置において、前記モータ制御手段は、モータ制御ループのゲインを、加速または減速時は、定常回転時より大きくすることを特徴とする。
【発明の効果】
【００２５】
以上説明したように、本発明によれば、状況に応じて制御ゲインを最適化することにより、位相ずれ悪化や起動不良、及び回転ムラ悪化を防止し、モータの起動停止時間を短くすることが出来るモータ制御方法を備えた画像形成装置を提供する。
【発明を実施するための最良の形態】
【００２６】
以下本発明を実施するための最良の形態を、実施例により詳しく説明する。
【実施例１】
【００２７】
本発明の実施例に係る画像形成装置の構成は図１２と同様である。
【００２８】
同図において、モータ６ａ〜ｆについて、本発明により速度制御や位置制御を行う。他の構成および動作は従来例と同様なので説明を省略する。
【００２９】
図２は本装置の制御システムの概略構成を示す。
【００３０】
１０は画像形成装置としてのプリンタである。１１はプリンタ内の各装置を制御するプリンタ制御部である。１２はプリンタ内の各装置へ電力を供給する電源である。１３はプリンタ内の各部の状況を検知するセンサ類である。１４はプリンタ制御部の指示によりモータ類を制御するモータ制御部である。１５はプリンタ内の各装置の動力源であるモータ類である。１６はプリンタの動作状況をユーザに報知する表示部である。１７はプリンタとホストコンピュータとの通信を行う通信コントローラである。１８はプリンタに印刷するデータを転送するホストコンピュータである。
【００３１】
図１、３、４、５は本発明に係る主要部の構成を示す。
【００３２】
本例においては感光ドラム駆動用モータを例に説明するものの、ＩＴＢ駆動用モータや定着器駆動用モータ等他のモータの制御もほぼ同様である。
【００３３】
図３において、２０はＤＳＰ、４０はＤＣブラシレスモータ、３０はモータへの電力を制御するドライバ、１はモータにより駆動される感光ドラムである。
【００３４】
図４において、５０は感光ドラムと一体に回転し、感光ドラムを駆動するギアであり、ギア５０にはフラグ４８を設け、感光ドラムの回転に伴い、フォトセンサ４９の光路を遮るようにする。これにより感光ドラム１回転につき１回信号が出力される。
【００３５】
ＤＳＰはＤＣブラシレスモータからのロータ位置信号により相切り替え制御、プリンタ制御部からの制御信号によるモータの始動、停止制御、およびプリンタ制御部からの速度信号と速度検知手段の出力とを比較し、ドライバを介して速度制御を行う。
【００３６】
ＤＳＰのブロック図を図５に示す。２１はプログラムコントローラ、２２は加減算や論理演算、積和演算を行う算術ユニット、２３はデータ用メモリ、２４はプログラム用メモリ、２５はデータメモリバス、２６はプログラムメモリバス、２７はシリアルポート、２８はタイマ、２９はＩ／Ｏポートである。このように、メモリをデータ用とプログラム用に独立させ、バスもデータバスとプログラムバスに分離し、乗算と加算を１マシンサイクルで実行する算術ユニットを持つことで高速な演算を可能としている。
【００３７】
図３に示すように、ＤＣブラシレスモータ４０はＵ、Ｖ、Ｗの３相スター結線されたコイル４３とロータ４４をもつ。さらにロータの位置検出手段としてロータの磁極を検知する３個のホール素子４２を備え、その出力はＤＳＰに接続されている。また、ロータの外周上に設けられた磁気的パターン４５と磁気センサ４１からなる回転速度検知手段を持ち、その出力はＤＳＰに接続されている。
【００３８】
３０はＤＣブラシレスモータを駆動するドライバであり、ハイ側トランジスタ３１とロー側トランジスタ３２を各３個備え、それぞれコイル４３のＵ、Ｖ、Ｗに接続されている。
【００３９】
ＤＳＰはホール素子が発生するロータ位置信号ＨＵ〜Ｗにより、ロータの位置を特定し、相切り替え信号を生成する。相切り替え信号ＵＵ〜Ｗ、ＬＵ〜Ｗは、ドライバの各トランジスタをオンオフ制御し励磁する相を順次切り替えロータを回転させる。
【００４０】
図１に示すように、ＤＳＰは速度制御を行うために、回転速度目標値と回転速度情報を比較し、速度誤差情報を得る。また、位置制御を行うために、回転速度情報を積分したロータの位置情報と、位置目標値と比較し、位置誤差情報を得る。上記、速度誤差情報と位置誤差情報からモータ操作量を演算し、その結果に応じて、相切り替え信号ＵＵ〜ＷはＰＷＭ信号として出力される。そのＰＷＭ信号のＤＵＴＹに応じて、駆動電流のチョッピングが行われ、モータの回転速度を制御する。
【００４１】
また、下側又は上側トランジスタを全相オンすることにより、モータにブレーキをかけることができる。
【００４２】
本例は感光ドラム駆動用のモータ制御であるため、位置制御も行っているものの、定着器駆動や搬送ベルト駆動用モータ等回転位置を制御する必要が無い場合は、速度制御のみを行う。
【００４３】
次に、駆動制御部及びプリンタ制御部の動作について説明する。プリンタ制御部から、画像形成を実行するために、モータの起動を指示されると（図６ステップ１）、モータ制御部は速度制御ループのゲインを設定し（図６ステップ２）、モータに対して速度制御を行い、モータを所定の加速カーブに従い速度指令を更新して、加速していく（図６ステップ３）。制御ループのゲインの値は、制御の安定性を損なわない範囲でなるべく大きく設定するものとし、あらかじめモータ制御部に保持させておく。
【００４４】
モータが定常回転速度に達し加速を終了したら（図６ステップ４）、印字動作に備えて、速度制御ループのゲインを設定し直す（図６ステップ５）。制御ループのゲインの値は、目標回転数に応じて設定する。画像に悪影響を与えないように、回転数が安定し、回転ムラが発生しないような値とするため、起動時のゲイン設定より小さい値となる。
【００４５】
目標回転数に対するゲイン値は、あらかじめモータ制御部に保持させておくことができる。
【００４６】
次に、印字動作が終了し、モータの停止を指示された場合について、図７により説明する。
【００４７】
プリンタ制御部から、モータの停止を指示されると（図７ステップ１）、モータ制御部は、速度制御ループのゲインを設定する（図７ステップ２）。そして、モータに対して速度制御を行い、モータを所定の減速カーブに従い速度指令を更新し（図７ステップ３）、減速していき、モータが停止した時点で減速シーケンスを終了する（図７ステップ４）。また、制御ループのゲインの値は、制御の安定性を損なわない範囲でなるべく大きく設定するものとし、あらかじめモータ制御部に保持させておく。
【００４８】
また、所定の速度以下になった時点で、モータのブレーキを作動させ、モータを停止させても良い。
【００４９】
以上述べたように、起動停止時には制御ループのゲインを制御の安定性を損なわない範囲で、大きくすることで、ゲイン不足による起動停止特性の悪化を防止する。
【００５０】
また、定常回転中は制御ループのゲインを、回転を安定させ、回転ムラを発生させない値とすることで、画像劣化をまねくような横筋等の発生を防止する。
【実施例２】
【００５１】
本発明における第２の実施形態を説明する。
【００５２】
本装置の画像形成装置構成、制御システムの概略構成は第一実施例と同様なので説明を省略する。
【００５３】
本例ではモータで駆動する負荷を判断して制御ループゲインを変更する点が第１実施例と異なる。
【００５４】
なお、モータ負荷の大きさは、モータ駆動電流やＰＷＭ信号のＤｕｔｙで判断できる為、これをモニタすることで検知しても良いし、プリント枚数等をカウントして機械的な劣化を推測して判断するのも良い。また温度センサなどを用いて低温環境であることを検知してグリスの粘度低下等を推測することで判断することも可能である。
【００５５】
次に本実施例の動作を図８、図９に基づいて説明する。
【００５６】
プリンタ制御部から、画像形成を実行するために、モータの起動を指示されると（図８ステップ１）、モータ制御部はモータで駆動する負荷の大きさを判断し（図８ステップ２）、負荷が大きい場合は速度制御ループのゲインを通常よりも大きく設定し（図８ステップ３）、負荷が小さい場合は速度制御ループのゲインを通常通り設定する（図８ステップ４）。その上でモータに対して速度制御を行い、モータを所定の加速カーブに従い速度指令を更新して、加速していく（図８ステップ５）。制御ループのゲインの値は、制御の安定性を損なわない範囲でなるべく大きく設定するものとし、あらかじめモータ制御部に保持させておく。
【００５７】
モータが定常回転速度に達し加速を終了したら（図８ステップ６）、印字動作に備えて、モータ制御部は再度モータで駆動する負荷の大きさを判断し（図８ステップ７）、負荷が大きい場合は速度制御ループのゲインを通常時より大きく設定しなおし（図８ステップ８）、負荷が小さい場合は速度制御ループのゲインを通常通り設定しなおす（図８ステップ９）。制御ループのゲインの値は、目標回転数に応じて設定する。画像に悪影響を与えないように、回転数が安定し、回転ムラが発生しないような値とするため、起動時のゲイン設定より小さい値となる。
【００５８】
目標回転数に対するゲイン値は、あらかじめモータ制御部に保持させておくことができる。
【００５９】
次に、印字動作が終了し、モータの停止を指示された場合について、図９により説明する。
【００６０】
プリンタ制御部から、モータの停止を指示されると（図９ステップ１）、モータ制御部はモータで駆動する負荷の大きさを判断し（図９ステップ２）、負荷が大きい場合は速度制御ループのゲインを通常よりも大きく設定し（図９ステップ３）、負荷が小さい場合は速度制御ループのゲインを通常通り設定する（図９ステップ４）。そして、モータに対して速度制御を行い、モータを所定の減速カーブに従い速度指令を更新し（図９ステップ５）、減速していき、モータが停止した時点で減速シーケンスを終了する（図９ステップ６）。また、制御ループのゲインの値は、制御の安定性を損なわない範囲でなるべく大きく設定するものとし、あらかじめモータ制御部に保持させておく。
【００６１】
また、所定の速度以下になった時点で、モータのブレーキを作動させ、モータを停止させても良い。
【００６２】
以上述べたように、モータで駆動する負荷の大きさに応じて制御ループのゲインを制御の安定性を損なわない範囲で、大きくすることで、ゲイン不足による起動停止特性の悪化を防止する。
【００６３】
また、定常回転中はモータで駆動する負荷の大きさに応じて制御ループのゲインを、回転を安定させ、回転ムラを発生させない値とすることで、画像劣化をまねくような横筋等の発生を防止する。
【実施例３】
【００６４】
本発明における第３の実施形態を説明する。
【００６５】
本装置の画像形成装置構成、制御システムの概略構成は第一実施例と同様なので説明を省略する。
【００６６】
本例ではモータ出力の低下を判断して制御ループゲインを変更する点が第１実施例と異なる。
【００６７】
なお、モータ出力の低下は、使用時にモータが昇温することで巻線抵抗値が上昇してモータ駆動電流が流れにくくなることで発生するものと、ベアリングなどの機構部品が機械的に劣化して発生するものがある。したがってモータ温度をモニタすることで昇温度合いを検知しても良いし、モータ連続動作時間等をカウントして昇温度合いを推測しても良いし、モータ動作時間等をカウントして機械的な劣化を推測して判断するのも良い。
【００６８】
次に本実施例の動作を図１０、図１１に基づいて説明する。
【００６９】
プリンタ制御部から、画像形成を実行するために、モータの起動を指示されると（図１０ステップ１）、モータ制御部はモータ出力の低下を判断し（図１０ステップ２）、出力が低下している場合は速度制御ループのゲインを通常よりも大きく設定し（図１０ステップ３）、出力が低下していない場合は速度制御ループのゲインを通常通り設定する（図１０ステップ４）。その上でモータに対して速度制御を行い、モータを所定の加速カーブに従い速度指令を更新して、加速していく（図１０ステップ５）。制御ループのゲインの値は、制御の安定性を損なわない範囲でなるべく大きく設定するものとし、あらかじめモータ制御部に保持させておく。
【００７０】
モータが定常回転速度に達し加速を終了したら（図１０ステップ６）、印字動作に備えて、モータ制御部は再度モータ出力の低下を判断し（図１０ステップ７）、出力が低下している場合は速度制御ループのゲインを通常時より大きく設定しなおし（図１０ステップ８）、出力が低下していない場合は速度制御ループのゲインを通常通り設定しなおす（図１０ステップ９）。制御ループのゲインの値は、目標回転数に応じて設定する。画像に悪影響を与えないように、回転数が安定し、回転ムラが発生しないような値とするため、起動時のゲイン設定より小さい値となる。
【００７１】
目標回転数に対するゲイン値は、あらかじめモータ制御部に保持させておくことができる。
【００７２】
次に、印字動作が終了し、モータの停止を指示された場合について、図１１により説明する。
【００７３】
プリンタ制御部から、モータの停止を指示されると（図１１ステップ１）、モータ制御部はモータ出力の低下を判断し（図１１ステップ２）、出力が低下している場合は速度制御ループのゲインを通常よりも大きく設定し（図１１ステップ３）、出力が低下していない場合は速度制御ループのゲインを通常通り設定する（図１１ステップ４）。そして、モータに対して速度制御を行い、モータを所定の減速カーブに従い速度指令を更新し（図１１ステップ５）、減速していき、モータが停止した時点で減速シーケンスを終了する（図１１ステップ６）。また、制御ループのゲインの値は、制御の安定性を損なわない範囲でなるべく大きく設定するものとし、あらかじめモータ制御部に保持させておく。
【００７４】
また、所定の速度以下になった時点で、モータのブレーキを作動させ、モータを停止させても良い。
【００７５】
以上述べたように、モータ出力の低下に応じて制御ループのゲインを制御の安定性を損なわない範囲で、大きくすることで、ゲイン不足による起動停止特性の悪化を防止する。
【００７６】
また、定常回転中はモータ出力の低下に応じて制御ループのゲインを、回転を安定させ、回転ムラを発生させない値とすることで、画像劣化をまねくような横筋等の発生を防止する。
【図面の簡単な説明】
【００７７】
【図１】実施例１における、主要部の構成を説明する図
【図２】本発明の実施例に係る画像形成装置の制御システムの概略構成を説明する図
【図３】実施例１における、主要部の構成を説明する図
【図４】実施例１における、主要部の構成を説明する図
【図５】実施例１における、主要部の構成を説明する図
【図６】実施例１における、動作を説明する図
【図７】実施例１における、動作を説明する図
【図８】実施例２における、動作を説明する図
【図９】実施例２における、動作を説明する図
【図１０】実施例３における、動作を説明する図
【図１１】実施例３における、動作を説明する図
【図１２】画像形成装置の全体を説明する図
【符号の説明】
【００７８】
１  感光ドラム
２  レーザスキャナ
３  搬送ベルト
４  駆動ローラ
５  定着器
６  モータ
１０  プリンタ
１１  プリンタ制御部
１２  電源
１３  センサ類
１４  モータ制御部
１５  モータ類
１６  表示部
１７  通信コントローラ
１８  ホストコンピュータ
２０  ＤＳＰ
２１  プラグラムコントローラ
２２ａ  ＡＬＵ
２２ｂ  ＭＡＣ
２３  データメモリ
２４  プログラムメモリ
２５  データメモリバス
２６  プログラムメモリバス
２７  シリアルポート
２８  タイマ
２９  Ｉ／Ｏポート
３０  ドライバ
３１  ハイ側トランジスタ
３２  ロー側トランジスタ
３３  ナンドゲート
３４  電流検出抵抗
４０  ＤＣブラシレスモータ
４１  磁気センサ
４２  ホール素子
４３  コイル
４４  ロータ
４５  磁気的パターン
４６  回転体
４７  回転軸
４８  フラグ
４９  フォトセンサ
【図１】
2006317616.tif 000003
【図２】
2006317616.tif 000004
【図３】
2006317616.tif 000005
【図４】
2006317616.tif 000006
【図５】
2006317616.tif 000007
【図６】
2006317616.tif 000008
【図７】
2006317616.tif 000009
【図８】
2006317616.tif 000010
【図９】
2006317616.tif 000011
【図１０】
2006317616.tif 000012
【図１１】
2006317616.tif 000013
【図１２】
2006317616.tif 000014